(57)【要約】  【課題】  表示中のテレビ番組に関連するコンテンツを容易に見つけ出すことができ、ユーザの利便性を向上することのできるコンテンツ表示システムを提供する。  【解決手段】  コンテンツ表示システム１の端末装置５は、放送局装置２からテレビ番組を受信する処理と、ネットワーク４を介してサーバ装置３からコンテンツを取得する処理と、テレビ番組またはコンテンツを表示装置６の表示部８に表示するための表示処理を行う。テレビ番組が表示部８に表示されているときに端末装置２のリモコン８によって所定のユーザ操作が行われると、表示中のテレビ番組の縮小動画像が表示部８の第１表示領域に表示されるとともに、複数のコンテンツの縮小静止画像を並べたマトリクス画像のうち表示中のテレビ番組に関連するコンテンツの縮小静止画像を含む部分マトリクス画像が選択されて表示部８の第２表示領域に表示される。【選択図】  図１
2013098683.tif 000002
【特許請求の範囲】
【請求項１】
テレビ番組に関連する複数のコンテンツを保持するサーバ装置と、前記サーバ装置にネットワークを介して接続される端末装置と、前記端末装置に接続される表示装置とで構成されるコンテンツ表示システムにおいて、
前記端末装置は、
放送局から放送されるテレビ番組を受信する番組受信部と、
前記サーバ装置に前記ネットワークを介してアクセスして、前記サーバ装置から前記コンテンツを取得するコンテンツ取得部と、
前記テレビ番組または前記コンテンツを前記表示装置の表示部に表示するための処理を行う表示処理部と、
を備え、
前記表示処理部は、
前記テレビ番組が前記表示部に表示されているときに前記端末装置の操作部によって所定のユーザ操作が行われると、前記表示中のテレビ番組の縮小動画像を前記表示部の第１表示領域に表示するとともに、前記サーバ装置から取得した前記複数のコンテンツの縮小静止画像を並べたマトリクス画像のうち前記表示中のテレビ番組に関連するコンテンツの縮小静止画像を含む部分マトリクス画像を選択して前記表示部の第２表示領域に表示することを特徴とするコンテンツ表示システム。
【請求項２】
前記端末装置は、前記番組受信部によって受信可能なテレビ番組に基づいて、前記端末装置が設置された地域を特定する設置地域特定部をさらに備え、
前記コンテンツ取得部は、前記サーバ装置から、前記端末装置が設置された地域で視聴可能なテレビ番組に関連するコンテンツを取得し、
前記表示処理部は、前記端末装置が設置された地域で視聴可能なテレビ番組に関連するコンテンツの縮小静止画像を並べたマトリクス画像のうち前記表示中のテレビ番組に関連するコンテンツの縮小静止画像を含む部分マトリクス画像を選択して前記表示部の第２表示領域に表示する、請求項１に記載のコンテンツ表示システム。
【請求項３】
コンテンツ表示システムで用いられる端末装置であって、
前記コンテンツ表示システムは、テレビ番組に関連する複数のコンテンツを保持するサーバ装置と、前記サーバ装置にネットワークを介して接続される前記端末装置と、前記端末装置に接続される表示装置とで構成され、
前記端末装置は、
放送局から放送されるテレビ番組を受信する番組受信部と、
前記サーバ装置に前記ネットワークを介してアクセスして、前記サーバ装置から前記コンテンツを取得するコンテンツ取得部と、
前記テレビ番組または前記コンテンツを前記表示装置の表示部に表示するための処理を行う表示処理部と、
を備え、
前記表示処理部は、
前記テレビ番組が前記表示部に表示されているときに前記端末装置の操作部によって所定のユーザ操作が行われると、前記表示中のテレビ番組の縮小動画像を前記表示部の第１表示領域に表示するとともに、前記サーバ装置から取得した前記複数のコンテンツの縮小静止画像を並べたマトリクス画像のうち前記表示中のテレビ番組に関連するコンテンツの縮小静止画像を含む部分マトリクス画像を選択して前記表示部の第２表示領域に表示することを特徴とする端末装置。
【請求項４】
コンテンツ表示システムで用いられるコンテンツ表示方法であって、
前記コンテンツ表示システムは、テレビ番組に関連する複数のコンテンツを保持するサーバ装置と、前記サーバ装置にネットワークを介して接続される端末装置と、前記端末装置に接続される表示装置とで構成され、
前記コンテンツ表示方法は、
放送局から放送されるテレビ番組を、前記端末装置で受信することと、
前記端末装置から前記サーバ装置に前記ネットワークを介してアクセスして、前記端末装置が前記サーバ装置から前記コンテンツを取得することと、
前記テレビ番組または前記コンテンツを前記表示装置の表示部に表示するための表示処理を、前記端末装置で行うことと、
を含み、
前記表示処理は、
前記テレビ番組が前記表示部に表示されているときに前記端末装置の操作部によって所定のユーザ操作が行われると、前記表示中のテレビ番組の縮小動画像を前記表示部の第１表示領域に表示するとともに、前記サーバ装置から取得した前記複数のコンテンツの縮小静止画像を並べたマトリクス画像のうち前記表示中のテレビ番組に関連するコンテンツの縮小静止画像を含む部分マトリクス画像を選択して前記表示部の第２表示領域に表示することを特徴とするコンテンツ表示方法。
【発明の詳細な説明】
【技術分野】
【０００１】
本発明は、テレビ番組に関連するコンテンツをサーバ装置から取得して表示するコンテンツ表示システムに関し、特に、ユーザの利便性を向上するための技術に関する。
【背景技術】
【０００２】
従来、テレビ番組に関連するＶＯＤ（ビデオオンデマンド）コンテンツをサーバから取得して表示するシステムが知られている（例えば特許文献１参照）。従来のシステムでは、利用可能なＶＯＤコンテンツ（ＶＯＤ番組）のリストが表示（一覧表示）され、クライアントデバイスからＶＯＤ番組にアクセスすることにより、ＶＯＤ番組を視聴できるようになっている。
【先行技術文献】
【特許文献】
【０００３】
【特許文献１】特許第４６０８２３４号公報
【発明の概要】
【発明が解決しようとする課題】
【０００４】
しかしながら、従来のシステムにおいては、ＶＯＤコンテンツのリストが単に一覧表示されるだけであり、ＶＯＤコンテンツの表示の仕方には、ユーザの利便性を高めるための更なる工夫の余地があった。例えば、従来のシステムでは、テレビ番組を見る場面とＶＯＤ番組を選択する場面とがそれぞれ別々であるため、あるテレビ番組を見ているときに、そのテレビ番組に関連するＶＯＤコンテンツを探したいというユーザの要求に応えることができないという問題があった。
【０００５】
本発明は、上記の課題に鑑みてなされたもので、ユーザの利便性を向上することのできるコンテンツ表示システムを提供することを目的とする。
【課題を解決するための手段】
【０００６】
本発明のコンテンツ表示システムは、テレビ番組に関連する複数のコンテンツを保持するサーバ装置と、サーバ装置にネットワークを介して接続される端末装置と、端末装置に接続される表示装置とで構成されるコンテンツ表示システムにおいて、端末装置は、放送局から放送されるテレビ番組を受信する番組受信部と、サーバ装置にネットワークを介してアクセスして、サーバ装置からコンテンツを取得するコンテンツ取得部と、テレビ番組またはコンテンツを表示装置の表示部に表示するための処理を行う表示処理部と、を備え、表示処理部は、テレビ番組が表示部に表示されているときに端末装置の操作部によって所定のユーザ操作が行われると、表示中のテレビ番組の縮小動画像を表示部の第１表示領域に表示するとともに、サーバ装置から取得した複数のコンテンツの縮小静止画像を並べたマトリクス画像のうち表示中のテレビ番組に関連するコンテンツの縮小静止画像を含む部分マトリクス画像を選択して表示部の第２表示領域に表示する。
【０００７】
これにより、放送局からテレビ番組を受信して表示することができるとともに、その表示中のテレビ番組に関するコンテンツ（例えば、ＶＯＤコンテンツ）をサーバ装置から容易に取得することができる。テレビ番組やコンテンツは、表示装置の表示部に表示される。本発明では、テレビ番組が表示部に表示されているときに端末装置の操作部によって所定のユーザ操作（例えば、専用ボタンの押下）が行われると、表示中のテレビ番組の縮小動画像が表示部の第１表示領域に表示されるとともに、複数のコンテンツの縮小静止画像を並べたマトリクス画像が表示部の第２表示領域に表示される。この場合、複数のコンテンツの縮小静止画像のうち表示中のテレビ番組に関連するコンテンツの縮小静止画像を含む部分マトリクス画像が選択されて、表示部の第２表示領域に表示される。
【０００８】
したがって、ユーザは、表示部の第１表示領域に表示されたテレビ番組（表示中のテレビ番組）の縮小動画像をみながら、表示部の第２表示領域に表示された複数のコンテンツのマトリクス画像（その表示中のテレビ番組に関連するコンテンツの縮小静止画像を含む部分マトリクス画像）をみて、その表示中のテレビ番組に関連するコンテンツを容易に見つけ出すことができる。
【０００９】
また、本発明のコンテンツ表示システムでは、端末装置は、番組受信部によって受信可能なテレビ番組に基づいて、端末装置が設置された地域を特定する設置地域特定部をさらに備え、コンテンツ取得部は、サーバ装置から、端末装置が設置された地域で視聴可能なテレビ番組に関連するコンテンツを取得し、表示処理部は、端末装置が設置された地域で視聴可能なテレビ番組に関連するコンテンツの縮小静止画像を並べたマトリクス画像のうち表示中のテレビ番組に関連するコンテンツの縮小静止画像を含む部分マトリクス画像を選択して表示部の第２表示領域に表示してもよい。
【００１０】
これにより、端末装置で受信可能なテレビ番組に基づいて、その端末装置が設置された地域が特定され、サーバ装置からその地域（端末装置が設置された地域）で視聴可能なテレビ番組に関連するコンテンツが取得される。そして、この場合、その地域（端末装置が設置された地域）で視聴可能なテレビ番組に関連するコンテンツの縮小静止画像を並べたマトリクス画像のうち表示中のテレビ番組に関連するコンテンツの縮小静止画像を含む部分マトリクス画像が選択されて、表示部の第２表示領域に表示される。
【００１１】
したがって、ユーザは、表示部の第２表示領域に表示された複数のコンテンツのマトリクス画像（端末装置が設置された地域で視聴可能なテレビ番組に関連するコンテンツの縮小静止画像を含む部分マトリクス画像）をみて、その地域で視聴可能なテレビ番組に関連するコンテンツを適切に見つけ出すことができる。
【００１２】
本発明の端末装置は、コンテンツ表示システムで用いられる端末装置であって、コンテンツ表示システムは、テレビ番組に関連する複数のコンテンツを保持するサーバ装置と、サーバ装置にネットワークを介して接続される端末装置と、端末装置に接続される表示装置とで構成され、端末装置は、放送局から放送されるテレビ番組を受信する番組受信部と、サーバ装置にネットワークを介してアクセスして、サーバ装置からコンテンツを取得するコンテンツ取得部と、テレビ番組またはコンテンツを表示装置の表示部に表示するための処理を行う表示処理部と、を備え、表示処理部は、テレビ番組が表示部に表示されているときに端末装置の操作部によって所定のユーザ操作が行われると、表示中のテレビ番組の縮小動画像を表示部の第１表示領域に表示するとともに、サーバ装置から取得した複数のコンテンツの縮小静止画像を並べたマトリクス画像のうち表示中のテレビ番組に関連するコンテンツの縮小静止画像を含む部分マトリクス画像を選択して表示部の第２表示領域に表示する。
【００１３】
本発明のコンテンツ表示方法は、コンテンツ表示システムで用いられるコンテンツ表示方法であって、コンテンツ表示システムは、テレビ番組に関連する複数のコンテンツを保持するサーバ装置と、サーバ装置にネットワークを介して接続される端末装置と、端末装置に接続される表示装置とで構成され、コンテンツ表示方法は、放送局から放送されるテレビ番組を端末装置で受信することと、端末装置からサーバ装置にネットワークを介してアクセスして、端末装置がサーバ装置からコンテンツを取得することと、テレビ番組またはコンテンツを表示装置の表示部に表示するための表示処理を端末装置で行うことと、を含み、表示処理は、テレビ番組が表示部に表示されているときに端末装置の操作部によって所定のユーザ操作が行われると、表示中のテレビ番組の縮小動画像を表示部の第１表示領域に表示するとともに、サーバ装置から取得した複数のコンテンツの縮小静止画像を並べたマトリクス画像のうち表示中のテレビ番組に関連するコンテンツの縮小静止画像を含む部分マトリクス画像を選択して表示部の第２表示領域に表示する。
【００１４】
これらの端末装置やコンテンツ表示方法によっても、上記のコンテンツ表示システムと同様、ユーザは、表示部の第１表示領域に表示されたテレビ番組（表示中のテレビ番組）の縮小動画像をみながら、表示部の第２表示領域に表示された複数のコンテンツのマトリクス画像（その表示中のテレビ番組に関連するコンテンツの縮小静止画像を含む部分マトリクス画像）をみて、その表示中のテレビ番組に関連するコンテンツを容易に見つけ出すことができる。
【発明の効果】
【００１５】
本発明によれば、表示中のテレビ番組に関連するコンテンツを容易に見つけ出すことができ、ユーザの利便性を向上することができる。
【図面の簡単な説明】
【００１６】
【図１】本発明の実施の形態におけるコンテンツ表示システムの構成を示すブロック図
【図２】本発明の実施の形態におけるコンテンツ表示システムの表示画面（テレビ画面と売り場画面）の一例を示す図
【図３】本発明の実施の形態におけるマトリクス画像と部分マトリクス画像の説明図
【図４】本発明の実施の形態におけるコンテンツ表示システムの表示画面（購入画面）の一例を示す図
【図５】本発明の実施の形態におけるコンテンツ表示システムの動作を説明するためのシーケンス図
【発明を実施するための形態】
【００１７】
以下、本発明の実施の形態のコンテンツ表示システムについて、図面を用いて説明する。本実施の形態では、ＶＯＤコンテンツの配信システム等に用いられるコンテンツ表示システムの場合を例示する。
【００１８】
本発明の実施の形態のコンテンツ表示システムの構成を、図面を参照して説明する。図１は、本実施の形態のコンテンツ表示システムのブロック図である。図１に示すように、コンテンツ表示システム１は、テレビ番組を放送する放送局装置２と、テレビ番組に関連する複数のＶＯＤコンテンツ（ＶＯＤ番組）を保持するサーバ装置３と、サーバ装置３にネットワーク４を介して接続される端末装置５と、端末装置５に接続される表示装置６とで構成される。端末装置５にはリモコン７が備えられており、ユーザはリモコン７を用いて様々なユーザ操作を行う。このリモコン７は、本発明の操作部に相当する。放送局装置２は、放送局に設置される装置である。サーバ装置３は、ＶＯＤコンテンツの制作会社などに設置され、例えばコンピュータ装置で構成される。ネットワーク４としては、例えば、インターネットなどが利用できる。端末装置５と表示装置６は、ユーザの自宅などに設置される。表示装置６は、液晶モニタなどの表示部８を備えている。
【００１９】
ここで、端末装置５の構成について詳しく説明しておく。図１に示すように、端末装置５は、放送局装置２から放送されるテレビ番組を受信する番組受信部９と、サーバ装置３にネットワーク４を介してアクセスしてサーバ装置３からＶＯＤコンテンツを取得するコンテンツ取得部１０と、テレビ番組やＶＯＤコンテンツを表示装置６の表示部８に表示するための処理（表示処理）を行う表示処理部１１とを備えている。端末装置５には、大容量のＨＤＤやメモリなどで構成される記憶部１２が備えられており、テレビ番組やＶＯＤコンテンツを録画しておくことが可能である。また、端末装置５は、リモコン７からのユーザ入力（ユーザ操作の内容）を受け付ける操作受付部１３を備えている。
【００２０】
表示処理部１１は、テレビ番組が表示部８に表示されているときに（図２の上図参照）、端末装置５のリモコン７によって所定のユーザ操作（例えば、専用ボタンの押下）が行われると、表示中のテレビ番組の縮小動画像をテレビフレーム（表示部８の第１表示領域）に表示するとともに、サーバ装置３から取得した複数のＶＯＤコンテンツの縮小静止画像を並べたマトリクス画像（例えば、３×３個のＶＯＤコンテンツの縮小静止画像）を売り場フレーム（表示部８の第２表示領域）に表示する（図２の下図参照）。
【００２１】
この場合、表示処理部１１は、サーバ装置３から取得した複数のＶＯＤコンテンツの縮小静止画像を並べた全マトリクス画像（例えば、９６×９個のＶＯＤコンテンツの縮小静止画像）のうち、表示中のテレビ番組に関連するコンテンツの縮小静止画像を含む部分マトリクス画像（例えば、３×３個のＶＯＤコンテンツの縮小静止画像）を選択して、売り場フレーム（表示部８の第２表示領域）に表示する（図３参照）。
【００２２】
全マトリクス画像では、複数のＶＯＤコンテンツの縮小静止画像がジャンル分けされて並べられている。例えば、「ドラマ」のＶＯＤコンテンツの縮小静止画像が、全マトリクス画像の中のある領域（ドラマ用の部分領域）にまとまるように並べられており、同様に、「スポーツ」のＶＯＤコンテンツの縮小静止画像が、全マトリクス画像の中のある領域（スポーツ用の部分領域）にまとまるように並べられている。
【００２３】
そして、例えば、表示中のテレビ番組が「ドラマ」のジャンルである場合には、ドラマ用の部分領域の中の「３×３」の領域に並べられたＶＯＤコンテンツの縮小静止画像が選択される。さらに具体的には、例えば、表示中のテレビ番組があるドラマの「第５話（最新話）」であり、そのドラマの「第１話」〜「第４話」のＶＯＤコンテンツが配信されている場合、それらのＶＯＤコンテンツ（のうちの少なくとも１つ）が含まれるように「３×３」の位置が設定される。
【００２４】
換言すると、「９６×９」という全体領域の中で、表示中のテレビ番組に応じて「３×３」の部分領域の位置が設定される。この場合、「３×３」の部分領域を「カーソル」と考えることもできる。その場合には、カーソルのスタート位置が、表示中のテレビ番組に応じて設定されるともいえる。つまり、カーソルのスタート位置が、受信しているテレビ番組によって変化するようになる。これにより、今まで以上に放送番組と連動したＶＯＤの選択が可能になる。
【００２５】
なお、全マトリクス画像は、テレビ局ごとに生成されてもよい。例えば、テレビ局Ａのテレビ番組に関連するＶＯＤコンテンツを並べた全マトリクス画像Ａ、テレビ局Ｂのテレビ番組に関連するＶＯＤコンテンツを並べた全マトリクス画像Ｂなどが生成されてもよい。また、ここでは、全マトリクス画像が「９６×９」であり、部分マトリクス画像が「３×３」である場合について例示したが、本発明の範囲はこれに限定されるものではなく、全マトリクス画像や部分マトリクス画像の大きさは任意に定めることができる。
【００２６】
売り場フレーム（表示部８の第２表示領域）に表示された部分マトリクス画像（例えば、３×３個のＶＯＤコンテンツの縮小静止画像）の中から、一つのＶＯＤコンテンツを選択すると、そのＶＯＤコンテンツの購入画面が表示される（図４参照）。
【００２７】
購入画面では、選択したＶＯＤコンテンツの情報（番組の概要、出演者など）のほかに、そのＶＯＤコンテンツに関連するＶＯＤコンテンツの情報が表示される。例えば、選択したＶＯＤコンテンツが、あるドラマの「第１話」であり、そのドラマの「第２話」〜「第４話」のＶＯＤコンテンツも配信されている場合には、それらのＶＯＤコンテンツの縮小静止画像も表示される。また、そのドラマの未放送の番組（例えば「第６話」や「第７話」）の情報を取得できる場合には、それらの未放送の番組の縮小静止画像（や放送予定など）を表示してもよい。
【００２８】
さらに、この端末装置５には、番組受信部９によって受信可能なテレビ番組に基づいて、端末装置５が設置された地域（例えば、関東地域など）を特定する設置地域特定部１４が備えられている。コンテンツ取得部１０は、サーバ装置３から、端末装置５が設置された地域で視聴可能なテレビ番組に関連するコンテンツを取得する。表示処理部１１は、端末装置５が設置された地域で視聴可能なテレビ番組に関連するコンテンツの縮小静止画像を並べた全マトリクス画像のうち、表示中のテレビ番組に関連するコンテンツの縮小静止画像を含む部分マトリクス画像を選択して、売り場フレーム（表示部８の第２表示領域）に表示する。
【００２９】
また、図１では、図示を省略しているが、コンテンツ表示システム１には、携帯端末装置（携帯電話機やスマートフォンなど）が含まれてもよい。携帯端末装置はテレビを受信する機能を備えていてもよい。携帯端末装置がテレビを受信する機能を備えていない場合には、端末装置５（テレビ受像機）で一旦受信したテレビ番組を携帯端末装置に送信して、携帯端末装置でテレビ番組を視聴できるようにしてもよい。携帯端末装置の操作部を「本発明の操作部」として用いるとともに、携帯端末装置の表示部を「本発明の表示部」として用いることにより、上述のようなＶＯＤコンテンツの表示を行うことも可能である。図１では、端末装置５が一つの装置で構成された例が示されているが、端末装置５は二つの装置で構成されてもよく、例えば、端末装置５の番組受信部９の機能を備えた装置と、コンテンツ取得部１０の機能を備えた装置とに物理的に分けることもできる。その場合、二つの装置（番組受信部９の機能を備えた装置とコンテンツ取得部１０の機能を備えた装置）は、無線通信等で互いに情報のやりとりをすることができればよい。
【００３０】
以上のように構成されたコンテンツ表示システム１について、図５のシーケンス図を参照してその動作を説明する。
【００３１】
図５に示すように、本発明の実施の形態のコンテンツ表示システム１を使用するときには、まず、端末装置５のリモコン７でチャンネル操作を行う（Ｓ１）。そうすると、放送局装置２から受信したテレビ番組の表示処理が行われ（Ｓ２）、表示装置６にテレビ画面（図２上図参照）が表示される（Ｓ３）。
【００３２】
つぎに、テレビ画面の表示中に、端末装置５のリモコン７で専用ボタンの操作を行うと（Ｓ４）、売り場画面の表示処理が行われて（Ｓ５）、表示装置６の表示部８に売り場画面（図２下図参照）が表示される（Ｓ６）。売り場画面では、表示中のテレビ番組の縮小動画像がテレビフレームに表示されるとともに、サーバ装置３から取得したＶＯＤコンテンツのうち、その表示中のテレビ番組に関連するＶＯＤコンテンツの縮小静止画像（３×３のＶＯＤコンテンツの縮小静止画像）が売り場フレームに表示される。
【００３３】
そして、売り場画面の表示中に、売り場フレームに表示されたＶＯＤコンテンツの中から、端末装置５のリモコン７でユーザが購入（視聴）を希望する一つのＶＯＤコンテンツを選択すると（Ｓ７）、購入画面の表示処理が行われ（Ｓ８）、表示装置６の表示部８に購入画面（図４参照）が表示される（Ｓ９）。
【００３４】
購入画面の表示中に、端末装置５のリモコン７でユーザが購入ボタンの操作を行うと（Ｓ１０）、サーバ装置３からＶＯＤコンテンツのダウンロードが行われ、ＶＯＤコンテンツをストリーミングで表示する処理が行われる（Ｓ１１）。これにより、表示装置６の表示部８に、選択（購入）したＶＯＤコンテンツが表示され、ユーザは、そのＶＯＤコンテンツを視聴することができるようになる。
【００３５】
このような本発明の実施の形態のコンテンツ表示システム１によれば、表示中のテレビ番組に関連するＶＯＤコンテンツを容易に見つけ出すことができ、ユーザの利便性を向上することができる。
【００３６】
すなわち、本実施の形態では、放送局装置２からテレビ番組を受信して表示することができるとともに、その表示中のテレビ番組に関するコンテンツ（例えば、ＶＯＤコンテンツ）をサーバ装置３から容易に取得することができる。テレビ番組やＶＯＤコンテンツは、表示装置６の表示部８に表示される。本実施の形態では、テレビ番組が表示部８に表示されているときに端末装置５のリモコン７によって所定のユーザ操作（例えば、専用ボタンの押下）が行われると、表示中のテレビ番組の縮小動画像がテレビフレーム（表示部８の第１表示領域）に表示されるとともに、複数のＶＯＤコンテンツの縮小静止画像（例えば、３×３のＶＯＤコンテンツの縮小静止画像）を並べたマトリクス画像が売り場フレーム（表示部８の第２表示領域）に表示される。この場合、複数のコンテンツの縮小静止画像を並べた全マトリクス画像（例えば、９６×９のＶＯＤコンテンツの縮小静止画像）のうち、表示中のテレビ番組に関連するコンテンツの縮小静止画像を含む部分マトリクス画像（例えば、３×３のＶＯＤコンテンツの縮小静止画像）が選択されて、売り場フレーム（表示部８の第２表示領域）に表示される。
【００３７】
したがって、ユーザは、テレビフレーム（表示部８の第１表示領域）に表示されたテレビ番組（表示中のテレビ番組）の縮小動画像をみながら、売り場フレーム（表示部８の第２表示領域）に表示された複数のＶＯＤコンテンツのマトリクス画像（その表示中のテレビ番組に関連するＶＯＤコンテンツの縮小静止画像を含む部分マトリクス画像）をみて、その表示中のテレビ番組に関連するＶＯＤコンテンツを容易に見つけ出すことができる。
【００３８】
また、本実施の形態では、端末装置５で受信可能なテレビ番組に基づいて、その端末装置５が設置された地域が特定され、サーバ装置３からその地域（端末装置５が設置された地域）で視聴可能なテレビ番組に関連するＶＯＤコンテンツが取得される。そして、この場合、その地域（端末装置５が設置された地域）で視聴可能なテレビ番組に関連するＶＯＤコンテンツの縮小静止画像を並べたマトリクス画像のうち、表示中のテレビ番組に関連するＶＯＤコンテンツの縮小静止画像を含む部分マトリクス画像が選択されて、売り場フレーム（表示部８の第２表示領域）に表示される。
【００３９】
したがって、ユーザは、売り場フレーム（表示部８の第２表示領域）に表示された複数のコンテンツのマトリクス画像（端末装置５が設置された地域で視聴可能なテレビ番組に関連するコンテンツの縮小静止画像を含む部分マトリクス画像）をみて、その地域で視聴可能なテレビ番組に関連するコンテンツを適切に見つけ出すことができる。
【００４０】
以上、本発明の実施の形態を例示により説明したが、本発明の範囲はこれらに限定されるものではなく、請求項に記載された範囲内において目的に応じて変更・変形することが可能である。
【産業上の利用可能性】
【００４１】
以上のように、本発明にかかるコンテンツ表示システムは、表示中のテレビ番組に関連するコンテンツを容易に見つけ出すことができ、ユーザの利便性を向上することができるという効果を有し、ＶＯＤコンテンツの配信システム等に用いられ、有用である。
【符号の説明】
【００４２】
１  コンテンツ表示システム
２  放送局装置
３  サーバ装置
４  ネットワーク
５  端末装置
６  表示装置
７  リモコン
８  表示部
９  番組受信部
１０  コンテンツ取得部
１１  表示処理部
１２  記憶部
１３  操作受付部
１４  設置地域特定部
【図１】
2013098683.tif 000003
【図２】
2013098683.tif 000004
【図３】
2013098683.tif 000005
【図４】
2013098683.tif 000006
【図５】
2013098683.tif 000007
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
テレビ番組に関連する複数のコンテンツを保持するサーバ装置と、前記サーバ装置にネットワークを介して接続される端末装置と、前記端末装置に接続される表示装置とで構成され、前記端末装置を操作することにより前記コンテンツの購入を行って、購入したコンテンツを前記表示装置で表示可能にするコンテンツ購入システムにおいて、
前記端末装置は、
放送局から放送されるテレビ番組を受信する番組受信部と、
前記サーバ装置に前記ネットワークを介してアクセスして、前記サーバ装置から前記コンテンツを取得するコンテンツ取得部と、
前記テレビ番組または前記コンテンツを前記表示装置の表示部に表示するための処理を行う表示処理部と、
を備え、
前記表示処理部は、
前記テレビ番組が前記表示部に表示されているときに前記端末装置の操作部によって所定のユーザ操作が行われると、前記表示中のテレビ番組の縮小動画像を前記表示部の第１表示領域に表示するとともに、前記サーバ装置から取得した前記複数のコンテンツの縮小静止画像を並べたマトリクス画像のうち前記表示中のテレビ番組に関連するコンテンツの縮小静止画像を含む部分マトリクス画像を選択して前記表示部の第２表示領域に表示し、
前記第２表示領域は、前記コンテンツの売り場画面の売り場フレームであり、前記売り場フレームにおいて前記部分マトリクス画像として表示された複数のコンテンツの中から一つのコンテンツを選択すると、前記選択されたコンテンツの購入画面が表示され、前記購入画面において前記コンテンツを購入する操作を行うと、前記購入したコンテンツが前記表示端末で表示可能となることを特徴とするコンテンツ表示システム。
【請求項２】
前記端末装置は、前記番組受信部によって受信可能なテレビ番組に基づいて、前記端末装置が設置された地域を特定する設置地域特定部をさらに備え、
前記コンテンツ取得部は、前記サーバ装置から、前記端末装置が設置された地域で視聴可能なテレビ番組に関連するコンテンツを取得し、
前記表示処理部は、前記端末装置が設置された地域で視聴可能なテレビ番組に関連するコンテンツの縮小静止画像を並べたマトリクス画像のうち前記表示中のテレビ番組に関連するコンテンツの縮小静止画像を含む部分マトリクス画像を選択して前記表示部の第２表示領域に表示する、請求項１に記載のコンテンツ表示システム。
【請求項３】
コンテンツ購入システムで用いられる端末装置であって、
前記コンテンツ購入システムは、テレビ番組に関連する複数のコンテンツを保持するサーバ装置と、前記サーバ装置にネットワークを介して接続される前記端末装置と、前記端末装置に接続される表示装置とで構成され、前記端末装置を操作することにより前記コンテンツの購入を行って、購入したコンテンツを前記表示装置で表示可能にするものであり、
前記端末装置は、
放送局から放送されるテレビ番組を受信する番組受信部と、
前記サーバ装置に前記ネットワークを介してアクセスして、前記サーバ装置から前記コンテンツを取得するコンテンツ取得部と、
前記テレビ番組または前記コンテンツを前記表示装置の表示部に表示するための処理を行う表示処理部と、
を備え、
前記表示処理部は、
前記テレビ番組が前記表示部に表示されているときに前記端末装置の操作部によって所定のユーザ操作が行われると、前記表示中のテレビ番組の縮小動画像を前記表示部の第１表示領域に表示するとともに、前記サーバ装置から取得した前記複数のコンテンツの縮小静止画像を並べたマトリクス画像のうち前記表示中のテレビ番組に関連するコンテンツの縮小静止画像を含む部分マトリクス画像を選択して前記表示部の第２表示領域に表示し、
前記第２表示領域は、前記コンテンツの売り場画面の売り場フレームであり、前記売り場フレームにおいて前記部分マトリクス画像として表示された複数のコンテンツの中から一つのコンテンツを選択すると、前記選択されたコンテンツの購入画面が表示され、前記購入画面において前記コンテンツを購入する操作を行うと、前記購入したコンテンツが前記表示端末で表示可能となることを特徴とする端末装置。
【請求項４】
コンテンツ購入システムで用いられるコンテンツ購入方法であって、
前記コンテンツ表示システムは、テレビ番組に関連する複数のコンテンツを保持するサーバ装置と、前記サーバ装置にネットワークを介して接続される端末装置と、前記端末装置に接続される表示装置とで構成され、前記端末装置を操作することにより前記コンテンツの購入を行って、購入したコンテンツを前記表示装置で表示可能にするものであり、
前記コンテンツ表示方法は、
前記端末装置が、放送局から放送されるテレビ番組を受信することと、
前記端末装置が、前記サーバ装置に前記ネットワークを介してアクセスして、前記端末装置が前記サーバ装置から前記コンテンツを取得することと、
前記端末装置が、前記テレビ番組または前記コンテンツを前記表示装置の表示部に表示するための表示処理を行うことと、
を含み、
前記表示処理は、
前記テレビ番組が前記表示部に表示されているときに前記端末装置の操作部によって所定のユーザ操作が行われると、前記表示中のテレビ番組の縮小動画像を前記表示部の第１表示領域に表示するとともに、前記サーバ装置から取得した前記複数のコンテンツの縮小静止画像を並べたマトリクス画像のうち前記表示中のテレビ番組に関連するコンテンツの縮小静止画像を含む部分マトリクス画像を選択して前記表示部の第２表示領域に表示し、
前記第２表示領域は、前記コンテンツの売り場画面の売り場フレームであり、前記売り場フレームにおいて前記部分マトリクス画像として表示された複数のコンテンツの中から一つのコンテンツを選択すると、前記選択されたコンテンツの購入画面が表示され、前記購入画面において前記コンテンツを購入する操作を行うと、前記購入したコンテンツが前記表示端末で表示可能となることを特徴とするコンテンツ表示方法。